(57)【特許請求の範囲】
【請求項１】
縦方向及び横方向と、肌対向面及びその反対側の非肌対向面とを有し、前ウエスト域と、後ウエスト域と、前記前ウエスト域及び前記後ウエスト域の間に位置するクロッチ域とを含み、前記前ウエスト域及び前記後ウエスト域の側縁部どうしが連結されて画成されたウエスト開口及び一対のレッグ開口を含む使い捨て着用物品において、
前記前ウエスト域及び前記後ウエスト域のうちの少なくとも一方のウエスト域は、前記側縁部の前記非肌対向面に取り付けられた一対のテープファスナと、前記肌対向面に位置して前記横方向へ延びる帯状域と、前記横方向における中央部において前記帯状域と厚さ方向において対向し、前記非肌対向面側に位置するポケットとを有し、
前記ポケットは、前記クロッチ域側へ向かって開口可能であって、前記クロッチ域側から前記ウエスト開口側へ延びるポケット外側域と、前記ポケット外側域と前記帯状域とにそれぞれ前記厚さ方向において対向し、前記ポケット外側域と連なるとともに、前記帯状域とつながるポケット内側域とを有し、
前記テープファスナの固定部の上端が、前記縦方向において、前記ポケット外側域の上端よりも下方であって、前記ポケット内側域の下端と一致する又はそれよりも下方に位置しており、
前記テープファスナの使用状態において、前記ポケットの内部空間が維持されることを特徴とする着用物品。
【請求項２】
前記ポケット内側域と前記ポケット外側域とは、前記横方向へ弾性伸縮可能であって、前記ポケット内側域の収縮力が前記ポケット外側域の収縮力よりも高い請求項１に記載の着用物品。
【請求項３】
前記前ウエスト域及び前記後ウエスト域は、前記前ウエスト域及び前記後ウエスト域における前記縦方向の寸法を二等分する第１仮想線を有し、
前記テープファスナは、前記テープファスナにおける前記縦方向の寸法を二等分する第２仮想線を有し、
前記第１仮想線よりも前記第２仮想線が上方に位置するように前記テープファスナを前記前ウエスト域及び前記後ウエスト域のいずれか一方に取り付けてある請求項１又は２に記載の着用物品。
【請求項４】
前記ポケットは、前記ポケット内側域及び前記ポケット外側域の両側部から形成され、前記横方向の内側へ折り込まれたポケット両側域をさらに有する請求項１〜３のいずれかに記載の着用物品。
【請求項５】
一対の前記テープファスナは、繊維不織布で形成されたベース部と、前記ベース部の一方の端に位置して前記後ウエスト域の前記非肌対向面に取り付けてある前記固定部と、前記ベース部の他方の端に位置して前記前ウエスト域及び前記後ウエスト域の前記横方向の外側へ延びる自由部とを有し、
前記自由部は、前記ベース部に止着可能な止着域を有する請求項１〜４のいずれかに記載の着用物品。
【発明の詳細な説明】
【技術分野】
【０００１】
本発明は、使い捨て着用物品に関する。
【背景技術】
【０００２】
従来、排泄物を収容・保持するためポケットを備えた使い捨ておむつ（使い捨て着用物品）は公知である。例えば、特許文献１には、肌対向面及びその反対側の非肌対向面とを有し、前ウエスト域と、後ウエスト域と、前後ウエスト域の間に位置するクロッチ域とを含み、前後ウエスト域の側縁部どうしが連結されて画成されたウエスト開口及び一対のレッグ開口を含む使い捨てのおむつが開示されている。このおむつは、クロッチ域に配置された吸液構造体と、前後ウエスト域において肌対向面側に位置し、かつ、吸液構造体の前後端部を被覆するように横断する伸縮性シートとを有し、伸縮性シートと吸液構造体の前後端部との間には、排泄物を収容するためのポケット（立体ガード７）が形成されている。
【先行技術文献】
【特許文献】
【０００３】
【特許文献１】特開２００１−２５２３０３号公報
【発明の概要】
【発明が解決しようとする課題】
【０００４】
特許文献１に開示された発明に係る使い捨ておむつでは、前後ウエスト域においてポケットが画定されていることによって、前後ウエスト域へ移動した排泄物を収容、保持することができる。
【０００５】
しかし、おむつを廃棄するときに、おむつを丸めると、ポケットに収容・保持している大便等の排泄物が、ウエスト開口から漏れるおそれがある。
【０００６】
本発明の課題は、従来のおむつの改良であって、廃棄時に排泄物が漏れるのを防止することができる使い捨て着用物品の提供にある。
【課題を解決するための手段】
【０００７】
前記課題を解決するために、本発明は、縦方向及び横方向と、肌対向面及びその反対側の非肌対向面とを有し、前ウエスト域と、後ウエスト域と、前記前ウエスト域及び前記後ウエスト域の間に位置するクロッチ域とを含み、前記前ウエスト域及び前記後ウエスト域の側縁部どうしが連結されて画成されたウエスト開口及び一対のレッグ開口を含む使い捨て着用物品に関する。
【０００８】
本発明に係る使い捨て着用物品は、前記前ウエスト域及び前記後ウエスト域のうちの少なくとも一方のウエスト域は、前記側縁部の前記非肌対向面に取り付けられた一対のテープファスナと、前記肌対向面に位置して前記横方向へ延びる帯状域と、前記横方向における中央部において前記帯状域と厚さ方向において対向し、前記非肌対向面側に位置するポケットとを有し、前記ポケットは、前記クロッチ域側へ向かって開口可能であって、前記クロッチ域側から前記ウエスト開口側へ延びるポケット外側域と、前記ポケット外側域と前記帯状域とにそれぞれ前記厚さ方向において対向し、前記ポケット外側域と連なるとともに、前記帯状域とつながるポケット内側域とを有し、前記テープファスナの固定部の上端が、前記縦方向において、前記ポケット外側域の上端よりも下方であって、前記ポケット内側域の下端と一致する又はそれよりも下方に位置しており、前記テープファスナの使用状態において、前記ポケットの内部空間が維持される。
【０００９】
前記ポケット内側域と前記ポケット外側域とは、前記横方向へ弾性伸縮可能であって、前記ポケット内側域の収縮力が前記ポケット外側域の収縮力よりも高い。
【００１２】
前記前ウエスト域及び前記後ウエスト域は、前記前ウエスト域及び前記後ウエスト域における前記縦方向の寸法を二等分する第１仮想線を有し、前記テープファスナは、前記テープファスナにおける前記縦方向の寸法を二等分する第２仮想線を有し、前記第１仮想線よりも前記第２仮想線が上方に位置するように前記テープファスナを前記前ウエスト域及び前記後ウエスト域のいずれか一方に取り付けてある。このため、着用物品の廃棄時、前ウエスト域及び後ウエスト域のいずれか一方にクロッチ域を重ね、その後、一対のテープファスナを連結すれば、前後ウエスト域におけるウエスト開口側でテープファスナを連結できるため、ウエスト開口から排泄物が漏れるのを防止することができるとともに、着用物品をコンパクトに丸めることができる。
【００１３】
前記ポケットは、前記ポケット内側域及び前記ポケット外側域の両側部から形成され、前記横方向の内側へ折り込まれたポケット両側域をさらに有する。このため、ポケット両側域を有することによって、ポケットに収容可能な排泄物の量を増大することができる。
【００１４】
一対の前記テープファスナは、繊維不織布で形成されたベース部と、前記ベース部の一方の端に位置して前記後ウエスト域の前記非肌対向面に取り付けてある前記固定部と、前記ベース部の他方の端に位置して前記前ウエスト域及び前記後ウエスト域の前記横方向の外側へ延びる自由部とを有し、前記自由部は、前記ベース部に止着可能な止着域を有する。このため、着用物品の廃棄時、一方のテープファスナの止着域を、他方のテープファスナのベース部に止着し、一対のテープファスナどうしを互いに連結したとき、前後ウエスト域の両側縁を互いに近接させ、ポケットを非肌対向面へ向けて突出させることができるため、ポケットの形状を維持でき、ポケットに収容されている排泄物が漏れるのを防止することができる。
【発明の効果】
【００１５】
本発明の１つ以上の実施形態に係る使い捨て着用物品によれば、テープファスナの固定部の上端は、縦方向において、ポケットのウエスト開口側に位置する閉鎖縁よりも下方に位置するため、ポケットの空間を維持することができる。よって、廃棄時、ポケットの内部の大便等の排泄物が漏れるのを防止することができる。
【図面の簡単な説明】
【００１６】
図面は、本開示に係る本発明の特定の実施の形態を示し、発明の不可欠な構成ばかりでなく、選択的及び好ましい実施の形態を含む。
【図１】本発明の第１実施形態に係る使い捨て着用物品（おむつ）の背面図。
【図２】各弾性体をおむつの縦方向及び横方向に伸長させた状態における、おむつの一部破断展開図。
【図３】（ａ）ベースシートの一部破断展開平面図、（ｂ）ベースシートの折り畳み行程を示す図。（ｃ）ベースシートが第１及び第２折曲ラインに沿って折曲された状態を示す図。
【図４】後ウエスト域の部分拡大図。
【図５】おむつの一部破断分解斜視図。
【図６】図１に示すＶＩ−ＶＩ線に沿う模式的断面図。
【図７】前後ウエスト域の両側域を破断し、おむつを展開した状態における断面図。
【図８】おむつを廃棄するときに一対のテープファスナを連結させた状態をウエスト開口側から視た平面図。
【図９】第２実施形態のおむつの着用状態を示す斜視図。
【図１０】（ａ）ベースシートの一部破断展開平面図、（ｂ）ベースシートの折り畳み行程を示す図。（ｃ）ベースシートが第１及び第２折曲ラインに沿って折曲された状態を示す図。（ｄ）ベースシートが第３折曲ラインによって折曲された状態を示す図。
【図１１】おむつの非着用状態及び着用状態における後ウエスト域を上方から視た図。
【図１２】変形例１における図７と同様の断面図。
【図１３】変形例２における図４と同様の断面図。
【図１４】本発明の第２実施形態に係る使い捨て着用物品（おむつ）における図４と同様の部分拡大図。
【図１５】第２実施形態のおむつの着用状態における縦断面図。
【発明を実施するための形態】
【００１７】
［第１実施形態］
本発明の使い捨ておむつの一例として示すプルオンタイプ（パンツ型）の使い捨ておむつ１０は、互いに交差（直交）する縦方向Ｙと、横方向Ｘと、厚さ方向（３次元方向）Ｚと、着用状態における上下方向（縦方向Ｙ）とを有し、縦方向Ｙに沿って延び、その横方向Ｘの寸法を２等分する縦軸Ｐと、横方向Ｘへ沿って延び、その縦方向Ｙの寸法を２等分する横軸Ｑとを有する。着用状態では、ウエスト開口２１が上方に位置し、レッグ開口２２が下方に位置する。なお、本明細書において、「おむつ１０の平面視において互いに重なる」とは、厚さ方向Ｚにおいて互いに重なることを意味する。また、本明細書で「パンツ型の使い捨ておむつ」とは、両脚を挿入する部位において、レッグホースの有無又はそのホースの長短を問わないものをいう。
【００１８】
図１及び図２を参照すると、おむつ１０は、肌対向面及びそれに対向する非肌対向面と、ウエスト回り方向へ延びる環状の弾性ウエストパネル１１と、弾性ウエストパネル１１に接合される吸収シャーシ１２と、前ウエスト域１３と、後ウエスト域１４と、前後ウエスト域１３，１４の間に位置するクロッチ域１５とを含む。おむつ１０は、縦軸Ｐに関して対称に形成されており、弾性ウエストパネル１１は、前ウエスト域１３に位置する前ウエストパネル１７と、後ウエスト域１４に位置する後ウエストパネル１８とから構成される。
【００１９】
前後ウエスト域１３，１４は、それぞれ、横方向Ｘへ延びる内端縁１３ａ，１４ａと、縦方向Ｙにおいて内端縁１３ａ，１４ａと離間対向して横方向Ｘへ延びる外端縁（前後ウエスト開口縁）１３ｂ，１４ｂと、内外端縁１３ａ，１３ｂ，１４ａ，１４ｂ間において縦方向Ｙへ延びる両側縁１３ｃ，１４ｃとによって画定された横長矩形状を有する。前ウエスト域１３の両側縁１３ｃのそれぞれと後ウエスト域１４の両側縁１４ｃそれぞれとは、互いに重ね合わされて、縦方向Ｙへ断続的に配置されたサイドシーム１９によって連結されておむつ１０の両側縁部が形成され、ウエスト開口２１と一対のレッグ開口２２とが画定される。サイドシーム１９は、公知の接着手段、例えば、熱エンボス／デボス加工、ソニック加工等の各種公知の熱溶着手段によってなされる。
【００２０】
＜ポケット＞
図１及び図６を参照すると、おむつ１０は、後ウエスト域１４のウエスト開口２１側において着用者の身体に当接する帯状域（肌対向面に位置する肌に当接する領域）２３と、帯状域２３において後ウエスト域１４の横方向Ｘのほぼ中央に位置し、外端部位４１ｂと内端部４１ａとを有する帯状域２３の中央部４１とを有する。また、おむつ１０は、着用状態における前後方向において、帯状域２３と対向するように位置するポケット３０を有する。ポケット３０は、縦軸Ｐを中心として横方向Ｘへ広がる所定面積域にわたって形成されており、下方へ向かって（非着用状態においては、クロッチ域側へ向かって）開口可能である。帯状域２３及びポケット３０の開口縁（折曲部３１）は、後ウエスト域１４のウエスト開口２１側に位置する。ここで、「後ウエスト域１４のウエスト開口２１側」とは、後ウエスト域１４の縦方向Ｙの寸法を２等分する第１仮想線Ｌ１よりも外端縁１４ｂ側の領域を意味する。
【００２１】
ポケット３０は、帯状域２３の中央部４１と前後方向において対向し、クロッチ域１５側から上方へ延びるポケット外側域４３と、ポケット外側域４３と帯状域２３とにそれぞれ前後方向において対向し、横方向Ｘへ延びる折曲部３３を介してポケット外側域４３と連なるとともに、折曲部３３から下方へ延びて帯状域２３の中央部４１の内端部４１ａとつながるポケット内側域４２とによって画成される。ポケット内側域４２と帯状域２３の中央部４１とがつながることによって、下方へ向かって折り曲げられた折曲部３１が形成される。ポケット内外側域４２，４３の両側部は互いに重ね合されて固定され、その固定されたポケット内外側域４２，４３の両側域４５が、帯状域２３の両側部に固定される。両側域４５は、サイドシーム１９から横方向Ｘの内側へ延びており、そのため、ポケット３０はサイドシーム１９間において開口する大きさを有するものではなく、少なくとも、後ウエスト域１４の中央部において開口する程度の大きさを有する。ポケット３０は、下方向へ向かって折り曲げられた折曲部３１と、ウエスト開口２１へ（上方向へ）向かって折り曲げられた折曲部３３とを有する。本実施形態では、折曲部３３が、ポケット３０のウエスト開口２１側に位置する閉鎖縁となり、折曲部３１が、ポケット３０の開口縁となる。
【００２２】
＜弾性ウエストパネル＞
図２及び図５を参照すると、前ウエストパネル１７は、前ウエスト域１３の外形を画定する前ウエストシート５０を有する。前ウエストシート５０は、吸収シャーシ１２の前端部１２Ａが配置される主体部５２と、主体部５２の縦方向Ｙの外側に位置する延出部５３を有する。延出部５３は、横方向Ｘへ延びる折曲ラインに沿って縦方向Ｙの内側に折曲されて主体部５２と、主体部５２の内面に配置された吸収シャーシ１２の前端部１２Ａとに固定される。前ウエストシート５０の主体部５２と延出部５３との間には、横方向Ｘへ延びるストリング状又はストランド状の複数条の前ウエスト弾性体５５が伸長状態で収縮可能に取り付けられる。
【００２３】
前ウエストシート５０の前ウエスト弾性体５５よりもクロッチ域１５側の部分には、横方向Ｘへ伸縮可能な前弾性シート５１が配置される。前弾性シート５１は、肌対向面側に位置し、吸収シャーシ１２の前端部１２Ａの一部を被覆して、それと両側に位置する主体部５２とに固定される。
【００２４】
後ウエストパネル１８は、肌対向面側に位置する内面シート６１と非肌対向面側に位置する外面シート６２とから構成された後ウエストシート６０と、内外面シート６１，６２間に伸長状態で収縮可能に固定された、横方向Ｘへ延びる複数条のストリング状又はストランド状の後下方ウエスト弾性体６３を有する。後ウエスト域１４には、後ウエストパネル１８の外端部において断面略Ω状に折り重ねられた態様を有するベースシート７０が配置される。
【００２５】
＜ベースシート＞
図３（ａ）を参照すると、ベースシート７０は、横方向Ｘへ延びる内端縁７０ａ及び外端縁（後ウエスト開口縁）１４ｂと、内外端縁１４ｂ，７０ａ間において縦方向Ｙへ延びる両側縁７０ｃとによって画定された横長矩形状であって、第１面８０Ａ（肌対向面）とその反対側に位置する第２面８０Ｂ（非肌対向面）と、横方向Ｘへ並行して延びる第１折曲線７１と第２折曲線７２とを有する。ベースシート７０は、外端縁１４ｂと第１折曲線７１との間に位置する外端部７３と、第１折曲線７１と第２折曲線７２との間に位置する中間部７４と、第２折曲線７２と内端縁７０ａとの間に位置する内端部７５とを有する。外端部７３の第２面８０Ｂ側には、横方向Ｘに対向して位置する一対の第１固定域８１Ａが位置し、それらの間には横方向Ｘへ延びる第１非固定域８１Ｂが位置する。中間部７４の第１面８０Ａ側には、横方向Ｘに対向して位置する一対の第２固定域８２Ａが位置し、それらの間には横方向Ｘへ延びる第２非固定域８２Ｂが位置する。第１固定域８１Ａは、帯状域２３とポケット内側域４２とを固定するものであり、第２固定域８２Ａは、ポケット内側域４２とポケット外側域４３とを固定するものである。第１非固定域８１Ｂにおいて、帯状域２３とポケット内側域４２とが固定されておらず、第２非固定域８２Ｂにおいて、ポケット内側域４２とポケット外側域４３とが固定されていない。
【００２６】
ベースシート７０は、肌対向面側に位置する内面シート７６と、非肌対向面側に位置する外面シート７７と、外端部７３において横方向Ｘへ延びる、内外面シート７６，７７間において伸長状態で収縮可能に固定された複数条のストリング状又はストランド状の後上方ウエスト弾性体６４とをさらに有する。図３（ｂ），（ｃ）を参照すると、ベースシート７０は、第１折曲線７１に沿って外端部７３の第２面８０Ｂ側と中間部７４の第２面８０Ｂ側とが互いに当接されるように折曲されるとともに、第２折曲線７２に沿って中間部７４の第１面８０Ａ側と内端部７５の第１面８０Ａ側とが互いに当接されるように折曲されることによって、縦断面において略Ｚ字状に折曲された状態が維持される。
【００２７】
第１固定域８１Ａと第２固定域８２Ａとは、横方向Ｘへ連続して延び、それらの横方向Ｘの寸法がほぼ同等であって、それらの間に位置する第１及び第２非固定域８１Ｂ，８２Ｂの横方向Ｘの寸法もほぼ同等である。第１及び第２固定域８１Ａ，８２Ａは、吸収体８５の両側縁８５ｃを上下方向へ延長した仮想線Ｌ３よりも内方に位置する内方部位８１ｂ，８２ｂと、仮想線Ｌ３よりも外方に位置する外方部位８１ｃ，８２ｃとを有している。外方部位８１ｃ，８２ｃは、サイドシーム１９に重なる。また、第１及び第２非固定域８１Ｂ，８２Ｂは、おむつ１０の平面視において互いに重なって位置する。第１及び第２固定域８１Ａ，８２Ａは、例えば、ホットメルト接着剤等の公知の接着剤を塗布したり、ヒートシール等の公知の熱溶着手段によって形成される。
【００２８】
図２を参照すると、ベースシート７０は、横軸Ｑへ向かって凹状の固定域（第３固定域）８３を介して、吸収シャーシ１２と後ウエストパネル１８とに固定される。第３固定域８３は、横方向Ｘにおいて対向して位置し、第１及び第２固定域８１Ａ，８２Ａと同形同大であって、おむつ１０の平面視において、第１及び第２固定域８１Ａ，８２Ａと重なるベース部８３ａと、おむつ１０の平面視において、第１及び第２固定域８１Ａ，８２Ａと重ならず、一対のベース部８３ａを連結する連結部８３ｂとを有している。このようにベースシート７０が複数の折曲ラインによって折り畳まれた状態で固定されることによって、外端部７３によって後ウエスト域１４の帯状域２３が形成され、中間部７４の第２非固定域８２Ｂによってポケット内側域４２が形成され、内端部７５の第２非固定域８２Ｂと対向する部分によってポケット外側域４３が形成される。また、第２固定域８２Ａを介してポケット内側域４２の両側部とポケット外側域４３の両側部とが互いに重なり合った状態で接合される。
【００２９】
本実施形態においては、後ウエストシート６０に別体からなるベースシート７０を固定することによってポケット３０等を形成したが、本発明の技術的な効果を奏する限りにおいて、後ウエストシート６０とベースシート７０とを一体のシートで形成してもよいし、帯状域２３を後ウエストシート６０と同一のシート部材で形成し、帯状域２３に別体のシート部材を固定してポケット３０を形成してもよい。また、ベースシート７０を弾性伸縮性の１枚の繊維不織布シートから形成してもよいし、後上方ウエスト弾性体６４の代わりに弾性伸縮性の繊維不織布シートを内外面シート７６，７７間に配置してもよい。したがって、本明細書において、例えば、「ポケット内側域４２が帯状域２３の中央部４１の内端部４１ａとつながる」とは、中央部４１とポケット内側域４２とが同一のシート部材によって形成されて折曲部３１において折曲されている場合と、それらが別体のシート部材から形成されて、折曲部３１において両シート部材が連結されている場合とを含む。また、吸収シャーシ１２を形成するシート部材を後方へ延出させて、後ウエストパネルとそれよりもさらに後方へ延出する部分を折り曲げてポケット３０を形成することもできる。
【００３０】
図１、図２及び図７を参照すると、ポケット３０の横方向Ｘ外側に位置する、後ウエスト域１４の両側部には、一対のテープファスナ６６が配置される。図１には、テープファスナ６６がＺ字状及び逆Ｚ字状に折り畳まれた状態を示してあり、図２には、折り畳まれたテープファスナ６６を展開した状態を示してある。テープファスナ６６は、側縁１４ｃに固定された固定部６７と、展開状態において、固定部６７から横方向Ｘ外方へ延出する自由部６８とを含み、展開状態では、図４に示すように、横方向Ｘへ長い長方形である。おむつ１０の使用前及び使用中において、テープファスナ６６は、仮固定部によって折り畳まれた状態を維持する一方、おむつ１０を廃棄するときには、仮固定部の接合を解いて展開する。
【００３１】
テープファスナ６６の固定部６７及び自由部６８は、繊維不織布で形成してあるベース部６６Ａと、ベース部６６Ａにおける自由部６８に配置された止着域６８Ａとを含む。止着域６８Ａは、例えば、メカニカルファスナのフック群、感圧性接着剤等によって形成することができ、繊維不織布から形成されたベース部６６Ａに止着可能である。換言すれば、ベース部６６Ａは、止着域６８Ａに対してメカニカルファスナのループ群として機能する。止着域６８Ａとベース部６６Ａとが結合された後では、両者に力を加えることによって、止着域６８Ａとベース部６６Ａとの結合を解除することができる。また、止着域６８Ａは、前ウエスト域１３の非肌対向面及びクロッチ域１５の非肌対向面に止着及び剥離可能である。
【００３２】
図７は、前後ウエスト域１３，１４の両側縁１３ｃ，１４ｃで破断し、おむつ１０を展開した状態における断面図である。テープファスナ６６の固定部６７の上端６７ａは、縦方向Ｙにおいて、ポケット３０のウエスト開口２１側に位置する閉鎖縁である折曲部３３よりも下方に位置する。より具体的には、本実施形態では、縦方向Ｙにおいて、テープファスナ６６の固定部６７の上端６７ａと、ポケット内側域４２の下端である折曲部３１とが一致している。
【００３３】
＜吸収シャーシ＞
図２及び図５を参照すると、吸収シャーシ１２は、長方形状であって、前端部１２Ａと、後端部１２Ｂと、前後端部１２Ａ，１２Ｂ間に位置する中間部１２Ｃとを有する。吸収シャーシ１２は、肌対向面側に位置し、透液性を有する繊維不織布製の身体側ライナ８４と、吸液性の吸収体８５と、吸収体８５の底面全体を被覆する不透液性のプラスチックフィルムから形成された防漏シート８６と、吸収シャーシ１２の非肌対向面全体を形成する不透液性又は難透液性の被覆シート８７とを含む。吸収体８５は、フラッフパルプと吸収性ポリマー粒子との混合物から形成された芯材と、芯材全体を被包するテッシュペーパ等から形成された液拡散性のコアラップシートとから構成される。
【００３４】
被覆シート８７は、防漏シート８６の両側縁の横方向Ｘの外側に位置する両側部を有する。両側部は、防漏シート８６の両側縁に隣接して縦方向Ｙへ延びる折曲ラインに沿って内方へ（吸収体８５側へ）折曲されて身体側ライナ８４に固定される。両側部は、身体側ライナ８４に固定されて縦方向Ｙへ互いに離間する両端固定部と、身体側ライナ８４の両側縁部に固定される近位縁部と、両端固定部間において縦方向Ｙへ延び、かつ、近位縁部と並行して縦方向Ｙへ延びる遠位縁部（自由縁部）８８とを有する。遠位縁部８８は、被覆シート８７の外側縁部を折り曲げて固定することによって形成されたスリーブ状をなし、縦方向Ｙへ延びる複数条のストリング状又はストランド状のカフ弾性体８９が伸長状態で収縮可能に配設される。カフ弾性体８９が収縮することによって、該縁部が身体側ライナ８４から着用者の身体側へ離間してバリアカフを形成し、着用者の大腿部にフィットして排泄物の漏れを防止する。また、被覆シート８７の両側部には、縦方向Ｙへ延びる複数条のストリング状又はストランド状のレッグ弾性体９０が伸長状態で収縮可能に固定される。
【００３５】
レッグ弾性体９０は、横方向Ｘにおいて所与寸法離間して配置された複数の弾性材料から形成されており、一定幅において弾性を有する弾性帯を形成するので、着用状態において着用者の脚回りに面状にフィットして排泄物の横漏れを効果的に防止しうる。また、レッグ弾性体９０の後端部は、後ウエスト域１４において後下方ウエスト弾性体６３と平面視において重なっている。レッグ弾性体９０の収縮力の作用するレッグ弾性域と後下方ウエスト弾性体６３の収縮力の作用するウエスト弾性域とが平面視において重なることによって、着用者の大腿部を囲む仮想の弾性帯が形成される。
【００３６】
図２及び図６を参照すると、ベースシート７０は、固定域８３を介して帯状域２３と吸収シャーシ１２の後端部１２Ｂとに固定されており、被覆シート８７の遠位縁部８８間の部分において吸収シャーシ１２の後端部１２Ｂと固定されていない。ベースシート７０がかかる接合態様を有することによって、その非固定域と吸収シャーシ１２の後端部１２Ｂとの間には後ウエスト域１４へ移動した排泄物を収容、保持するための後方スペースＲが画定される。
【００３７】
通常、比較的に低月齢の乳幼児は、授乳時や母親に抱きかかえられた体勢等の様々なシチュエーションで流動性のある軟便を排泄するので、ウエスト開口２１における後ウエスト域１４から軟便が漏れたり、着用者の背面に軟便が押し付けられて汚れたりするおそれがある。また、おむつ１０の着用中に、前ウエスト域１３においては、ウエスト開口部がずり下がったときに排泄物を収容させることのできるスペースが身体との間に形成されることも考えられるが、後ウエスト域１４においては、臀部が突出した外形を有することからかかる隙間が形成され難く、排泄物を一時的に、収容保持するためには、本実施形態に係るおむつ１０のように、着用状態において、帯状域２３と、ポケット内側域４２と、ポケット外側域４３とによって、ポケット空間Ｓを有するポケット３０が形成される。
【００３８】
本実施形態においては、帯状域２３とポケット３０とが後ウエスト域１４のウエスト開口側に位置し、帯状域２３が後上方ウエスト弾性体６４の伸長応力によって着用者の身体にフィットされるので、クロッチ域１５側から後ウエスト開口側へ移動した排泄物の漏れが防止されるとともに、移動が阻止された排泄物が上方へ凸状に延びるポケット空間Ｓに流入して一時的に、収容、保持される。このように、移動が阻止された排泄物を後ウエスト域１４の背面側に位置するポケット３０に進入させることによって、排泄物が身体に接触することによる不快感や肌トラブルを抑制することができる。ポケット３０は、帯状域２３の伸縮と連動するものではないから、後ウエスト域１４が伸長されてもポケット開口が閉じたりするおそれはない。また、ポケット３０は、吸収体８５の上端部（後端部）よりも上方に位置することから、吸収体８５で吸収されずに後ウエスト開口側へ移動した体液を収容することができる。
【００３９】
また、ポケット３０を形成するベースシート７０の一部が後ウエスト域１４にサイドシーム１９から横方向Ｘの内側へ延びる固定域８３を介して接合されており、ベースシート７０自体が、レッグ弾性体９０及びカフ弾性体８９よりも縦方向Ｙの外側に位置して、それらとおむつ１０の平面視において互いに重なっていない。したがって、レッグ弾性体９０やカフ弾性体８９の収縮力が間接的にポケット外側域４３に作用してそれを下方へ引っ張ろうとする力が働いたとしても、ポケット外側域４３が下方へ引っ張られることによって折曲部３３が崩れてポケット空間Ｓが消滅するおそれはない。
【００４０】
図６を参照すると、このおむつ１０において、大便等の排泄物がポケット３０に排泄されたとき、ポケット３０の開口縁である折曲部３３が非肌対向面側の上方へ折り曲げられているため、ポケット３０には、多量の排泄物を収容することができる。
【００４１】
図８は、おむつ１０を廃棄するため、おむつ１０を丸めた状態を、ウエスト開口２１側から視た平面図である。おむつ１０を廃棄するには、先ず、例えば、前ウエスト域１３の両側縁１３ｃを破き、おむつ１０を着用者の身体から取り外す。次に、前ウエスト域１３と後ウエスト域１４とを互いに当接するように対向させ、前ウエスト域１３と、クロッチ域１５とが対向するように折り畳む。その後、折り畳まれたテープファスナ６６を展開し、一方のテープファスナ６６の止着域６８Ａを、他方のテープファスナ６６のベース部６６Ａに止着し、一対のテープファスナ６６を互いに連結する。すると、前後ウエスト域１３，１４の両側縁１３ｃ，１４ｃが互いに近接するとともに、ポケット３０を後ウエスト域１４の非肌対向面へ向けて突出させることができる。よって、ポケット３０の形状を維持でき、ポケット３０に収容されている大便等の排泄物が漏れるのを防止することができる。
【００４２】
本実施形態に係るおむつ１０によれば、テープファスナ６６の固定部６７の上端６７ａは、縦方向Ｙにおいて、ポケット３０のウエスト開口２１側に位置する折曲部（閉鎖縁）３３よりも下方に位置するため（図７参照）、一対のテープファスナ６６を連結しても、ポケット３０の空間を維持することができる。よって、廃棄時、ポケット３０の内部の排泄物が漏れるのを防止することができる。より詳細に説明すると、テープファスナ６６を引き延ばし、一対のテープファスナ６６を互いに連結させても、テープファスナ６６を互いに連結する力が、ポケット３０の閉鎖縁である折曲部３３に作用しにくく、厚さ方向Ｚにポケット３０が圧縮されないため、ポケット３０の内部空間を維持することができる。
【００４３】
加えて、縦方向Ｙにおいて、テープファスナ６６の固定部６７の上端６７ａと、ポケット内側域４２の下端である折曲部３１とが一致するため（図７参照）、一対のテープファスナ６６を連結したとき、厚さ方向におけるポケット内側域４２とポケット外側域４３との間の空間を大きくすることができる。よって、廃棄時、ポケット３０の内部の排泄物が漏れるのを確実に防止することができる。より詳細に説明すると、テープファスナ６６の固定部６７の上端６７ａと、ポケット内側域４２の下端である折曲部３１とが一致することによって、ポケット３０の開口縁（折曲部３１）を閉じるように、一対のテープファスナ６６を連結する力が作用するため、前後ウエスト域１３，１４のいずれか一方のウエスト域の両側縁１３ｃ，１４ｃを破断させた後、ポケット３０の開口縁（折曲部３１）で隙間がでにくいため、排泄物が漏れるのを確実に防止することができる。
【００４４】
［第２実施形態］
第２実施形態のおむつ１０の着用状態を図９に示す。このおむつ１０のポケット３０は、上記ポケット内外側域４２，４３と、ポケット内外側域４２，４３の両側部とから形成され、横方向Ｘの内側へ折り込まれたポケット両側域３２とによって画成される。ポケット内外側域４２，４３の両側部は、互いに重ね合されてポケット両側域３２を形成しており、ポケット両側域３２以外の部分からなる両側域４５が帯状域２３の両側部に固定される。
【００４５】
ポケット両側域３２は、横方向Ｘの内側へ（縦軸Ｐへ向かって）折り込まれている。おむつ１０の着用状態における、折曲部３１，３３とポケット両側域３２とが展開された状態において、中央部４１とポケット３０との間には、上方へ開口した凹部２５が画定される。ポケット両側域３２は、伸展可能に折り込まれる限りにおいて、意図せずに折曲された部分を含めて複数折曲されて、縦方向Ｙへ延びる折曲ラインが複数形成されていてもよい。
【００４６】
ポケット３０は、下方向へ向かって折り曲げられた折曲部３１と、横方向Ｘの内側へ向かって折り込まれたポケット両側域３２と、ウエスト開口２１へ（上方向へ）向かって折り曲げられた折曲部３３とを有し、それらが互いに異なる方向（３方向）へ折曲されていることによって、帯状域２３がウエスト回り方向へ伸長されたときに、ポケット両側域３２が起立して、ポケット内側域４２が帯状域２３の中央部４１から離れるように後方へ移動する。
【００４７】
このおむつのベースシート７０を図１０に示す。なお、図１０（ａ），（ｂ）は、図３（ａ），（ｂ）と同一であるため、説明を省略する。
【００４８】
図１０（ａ）〜（ｃ）に示す状態では、ベースシート７０の両側部に、横方向Ｘへ互いに離れる方向へ力が加えられているが、図１０（ｄ）を参照すると、ベースシート７０は、外端部７３が後上方ウエスト弾性体６４によって収縮しており、第１及び第２折曲線７１，７２に沿って折り曲げられて第１及び第２固定域８１Ａ，８２Ａを介して接合された状態から、積層された中間部７４と内端部７５とを第２非固定域８２Ｂの側縁に沿って縦方向Ｙへ延びる一対の第３折曲線７９Ａと第４折曲線（山折り折曲線）７９Ｂとに沿ってさらに折り曲げられることによって、外端部７３を除く部分（中間部７４及び内端部７５）が断面略Ω状を有する。かかる折り畳まれた状態のベースシート７０の横方向Ｘの寸法は、自然状態（各弾性体が非伸長の状態）における後ウエスト域１４の横方向Ｘの寸法とほぼ同じである。
【００４９】
再び、図９を参照すると、着用状態においては、帯状域２３が後上方ウエスト弾性体６４の収縮力によって横方向Ｘへ収縮することでポケット両側域３２が起立し、ポケット内側域４２が帯状域２３の中央部から離間することによって、第１実施形態のおむつ１０よりも大きなポケット空間Ｓが形成される。
【００５０】
本実施形態に係るおむつ１０では、ポケット３０は、ポケット内外側域４２，４３と、ポケット両側域３２とを有するため、非着用状態においても立体形状を呈し、非着用状態を図１１の実線で示し、着用状態を図１１の仮想線で示すように、排泄物を一時的に、収容保持することが可能なポケット空間Ｓをいずれの状態でも意図的に形成することができる。
【００５１】
また、着用者が仰臥状態であって、ポケット３０に着用者の体圧が掛かったときにおいても、ポケット両側域３２が折り込まれた態様を有して帯状域２３の中央部４１とポケット内側域４２とが互いに当接した状態となるので、ベースシート７０が体圧によって歪に変形されたりして、後ウエスト域１４における部分的な厚みの変化によって生じる異物感を着用者に与えるおそれはない。ポケット両側域３２は、着用者の身体に接近離間する方向、すなわち、厚さ方向Ｚにおいて屈伸運動可能であるから、体圧から開放されたときに、ポケット両側域３２が身体から離間する方向へ起立して、再び立体的なポケット空間Ｓが形成される。
【００５２】
このおむつ１０は、帯状域２３において、後ウエスト域１４の両側縁１４ｃ間に延びる上方ウエスト弾性体６４を有している。これにより、着用者が仰臥状態になったり、母親に背中を抑えられた状態で抱きかかえられたりして、ポケット３０にそれを身体側へ押し付けようとする力が繰り返し作用した場合であっても、ポケット両側域３２の屈伸運動によってポケット３０が安定的に繰り返して立体形状を呈することができるので、頻繁に姿勢を変化させたり、頻度高い軟便を繰り返す低月齢の乳幼児が着用する場合であっても、軟便を確実にポケット空間Ｓに収容することができる。また、本実施形態においては、既述のとおり、ポケット内側域４２は、所要の縦方向Ｙの寸法を有することから、ポケット両側域３２が起立することによって中央部４１に対して傾斜して後方へ移動し、ポケット３０の天面としての役割を果たし得るので、天面及びポケットの両側域側の折曲構造を有しない態様に比して、より多くの排泄物を収容することができる。
【００５３】
着用状態において、後上方ウエスト弾性体６４の収縮力によるギャザーがなくなる程度にまで帯状域２３が横方向Ｘ（ウエスト方向）へ伸長されたときには、ポケット両側域３２における折り込みが解除されてポケット内側域４２が中央部４１に向かって移動してポケット空間Ｓが消滅するおそれがある。したがって、帯状域２３が横方向Ｘへ伸長された場合でも、ポケット３０が立体形状を呈するためには、中央部４１を含めた帯状域２３の横方向Ｘにおける収縮量（収縮している部分の横方向Ｘにおける長さ寸法）が、ポケット内側域４２及び／またはポケット外側域４３の横方向Ｘにおける収縮量よりも大きいことが好ましい。かかる場合には、例えば、帯状域２３が自然状態（収縮時）に比して横方向Ｘへ所定倍率伸長されたときであっても、ポケット両側域３２が完全に倒伏されず、ポケット３０は立体形状を維持することができる。
【００５４】
したがって、帯状域２３には、横方向Ｘへ伸縮可能な弾性体を配置する一方、ポケット内側域４２及び／又はポケット外側域４３には弾性体を配置せず、実質的に弾性的に非伸縮性とすることが好ましい。また、図示していないが、ポケット内側域４２及び/又はポケット外側域４３に横方向Ｘへ伸縮可能な弾性体を配置する場合には、中央部４１に配置する弾性体、すなわち、後上方ウエスト弾性体６４よりも収縮率の低い弾性体を配置することが好ましい。ポケット内側域４２に横方向Ｘへ伸長可能な弾性体を配置した場合には、中央部４１が伸長されてポケット両側域３２にそれを倒伏させようとする力が作用するときに、該弾性体が収縮せずにその力に抗してポケット両側域３２の起立状態及び中央部４１からポケット内側域４２が離間した状態を維持するので、ポケット３０がより安定的に立体形状を呈することができる。さらに、ポケット内外側域４２，４３がともに弾性伸縮性を有する場合には、ポケット３０を安定的に形成するために、ポケット内側域４２の横方向Ｘにおける収縮率がポケット外側域４３の横方向Ｘにおける収縮率よりも高いことが好ましい。
【００５５】
＜変形例１＞
図１２は、第１及び第２実施形態のおむつ１０の変形例１を示している。このおむつ１０では、一対のテープファスナ６６の固定部６７の上端６７ａが、縦方向Ｙにおいて、ポケット内側域４２の下端である折曲部３１よりも下方に位置する。よって、一対のテープファスナ６６を連結したとき、厚さ方向におけるポケット内側域４２とポケット外側域４３との間の空間を大きくすることができる。よって、廃棄時、ポケット３０の内部の排泄物が漏れるのを確実に防止することができる。
【００５６】
＜変形例２＞
図１３には、第１及び第２実施形態のおむつ１０の変形例２を示している。図１３を参照すると、このおむつ１０の後ウエスト域１４は、後ウエスト域における縦方向Ｙの寸法を二等分する第１仮想線Ｌ１を有する。テープファスナ６６は、テープファスナ６６における縦方向Ｙの寸法を二等分する第２仮想線Ｌ２を有し、第１仮想線Ｌ１よりも第２仮想線Ｌ２が上方に位置するようにテープファスナ６６を後ウエスト域１４に取り付けてある。このおむつ１０によれば、おむつ１０の廃棄時、前ウエスト域１３及び後ウエスト域１４のいずれか一方にクロッチ域１５を重ね、その後、一対のテープファスナ６６を連結すれば、前後ウエスト域１３，１４におけるウエスト開口２１側でテープファスナを連結できるため、ウエスト開口２１から排泄物が漏れるのを防止することができるとともに、廃棄時のおむつ１０をコンパクトに丸めることができる。
【００５７】
［第２実施形態］
本発明に係る使い捨て着用物品（おむつ）の第２実施形態の図４と同様の図の図１４に示す。このおむつ１０の吸収シャーシ１２は、横方向Ｘに離隔して縦方向Ｙへ延びる一対のバリアカフシート９１と、バリアカフシート９１の肌対向面側に位置する肌当てシート９５とを含む。また、テープファスナ６６は、その上端６７ａが肌当てシート９５の下端９５ａよりも下方となるように後ウエスト域１４に取り付けてある。なお、図１４中、説明の便宜のため、ウエスト弾性体を省略してある。
【００５８】
肌当てシート９５は、後ウエスト域１４の両側縁１４ｃの間に位置し、繊維不織布で形成され、帯状域２３を画成するものである。
【００５９】
一対のバリアカフシート９１は、横方向の内側に折り畳まれて内面を互いに固定したものであって、身体側ライナ８４の肌対向面に固定された、縦方向Ｙにおいて離隔対向する前固定部及び後固定部９２ａと、身体側ライナ８４の肌対向面に固定された、横方向Ｘの外側において離隔対向して縦方向Ｙへ延びる固定側縁部９２ｂと、固定側縁部９２ｂから横方向Ｘの内側に位置する自由側縁部９２ｃとを有する。肌当てシート９５は、バリアカフシート９１の自由側縁部９２ｃの肌対向面に取り付けてある一方、横方向Ｘにおいて、自由側縁部９２ｃの間では、バリアカフシート９１に対して接合されていない。バリアカフシート９１の自由側縁部９２ｃの内部には、ストリング状又はストランド状の弾性部材からなり、縦方向Ｙへ延びるカフ弾性体９３が伸長状態で収縮可能に取り付けられる。カフ弾性体９３が縦方向Ｙへ収縮することによって、自由側縁部９２ｃが身体側ライナ８４から着用者の身体側へ離れ、排泄物の横漏れを防止するための一対のバリアカフが形成される。
【００６０】
おむつ１０の着用時において、カフ弾性体９３が収縮すると、図１５に示すように、自由側縁部９２ｃが身体側ライナ８４から離れ、これによって、厚さ方向Ｚにおいて、身体側ライナ８４と肌当てシート９５との間に排泄物を収容・保持するためのポケット空間Ｓ（ポケット３０）が形成される。
【００６１】
本発明におけるポケット３０は、肌対向面側に位置し、帯状域２３を形成するシートと、該シートよりも非肌対向面側に位置するシートとの間に、排泄物を収容・保持するためのポケット空間Ｓが形成されるものであって、第１実施形態のポケット３０と、第２実施形態のポケット３０とを含むことはもちろん、他の構造のおむつを含みものである。
【００６２】
本発明のおむつ１０を構成する各構成材料には、特に記述がなされている場合を除き、この種の分野において通常用いられている、各種の公知の材料を制限なく用いることができる。また、本明細書において使用されている「第１」〜「第３」等の用語は、同様の要素、位置等を単に区別するために用いてある。さらに、着用者が横臥状態であるとき、このおむつ１０における上方側とは着用者の頭部に近い側であり、下方側とは脚部に近い側である。
【００６３】
また、上記実施形態には、おむつ１０の後ウエスト域１４にテープファスナ６６が固定されているものを説明した。しかし、この発明は、それに限られず、テープファスナ６６を前ウエスト域１３に取り付けてもよい。
【符号の説明】
【００６４】
１０    使い捨て着用物品（使い捨ておむつ）
１３    前ウエスト域
１３ｃ  両側縁
１４    後ウエスト域
１４ｃ  両側縁
１５    クロッチ域
２１    ウエスト開口
２２    レッグ開口
２３    帯状域（肌当接域）
３０    ポケット
３１    折曲部（開口縁）
３２    ポケット両側域
３３    折曲部（閉鎖縁）
４１    中央部
４２    ポケット内側域
４３    ポケット外側域
４５    ポケットの両側域
６６    テープファスナ
６６Ａ  ベース部
６７    固定部
６７ａ  上端
６８    自由部
６８Ａ  止着域
Ｌ１    第１仮想線
Ｌ２    第２仮想線
Ｘ      横方向
Ｙ      縦方向
Ｚ      厚さ方向
【要約】
【課題】おむつの廃棄時に排泄物が漏れるのを防止することができる使い捨て着用物品を提供する。
【解決手段】使い捨て着用物品であるおむつ１０は、  縦方向Ｙ及び横方向Ｘと、肌対向面及びその反対側の非肌対向面とを有し、前ウエスト域１３と、後ウエスト域１４と、前後ウエスト域１３，１４の間に位置するクロッチ域１５とを含み、前後ウエスト域１３，１４の側縁部１３ｃ，１４ｃどうしが連結されて画成されたウエスト開口２１及び一対のレッグ開口２２を含む。前後ウエスト域１３，１４のうちの少なくとも一方のウエスト域は、側縁部１３ｃ，１４ｃの非肌対向面に取り付けられた一対のテープファスナ６６を有する。前後ウエスト域１３，１４のうちの少なくとも一方のウエスト域は、肌対向面においてクロッチ域１５側へ開口可能なポケット３０を有する。テープファスナ６６の固定部６７の上端６７ａは、縦方向Ｙにおいて、ポケット６０のウエスト開口２１側に位置する閉鎖縁（折曲部）３３よりも下方に位置する。
【選択図】図７【図１】
0005946581.tif 000002
【図２】
0005946581.tif 000003
【図３】
0005946581.tif 000004
【図４】
0005946581.tif 000005
【図５】
0005946581.tif 000006
【図６】
0005946581.tif 000007
【図７】
0005946581.tif 000008
【図８】
0005946581.tif 000009
【図９】
0005946581.tif 000010
【図１０】
0005946581.tif 000011
【図１１】
0005946581.tif 000012
【図１２】
0005946581.tif 000013
【図１３】
0005946581.tif 000014
【図１４】
0005946581.tif 000015
【図１５】
0005946581.tif 000016